(57)【要約】【課題】大気汚染や花粉症等によるアレルギー体質の人が外出したときであっても、空気中に浮遊する細菌や微細蛋白質粒子から人体を守る。【解決手段】携帯用イオン発生装置１は、マイナスイオンとプラスイオンとを同時に発生させるものであり、クラスターイオンを生成させるイオン生成部１１と、本装置１に電源を供給する太陽電池パネル１２と、既製の帽子２の鍔２１に脱着する脱着部１３と、クラスターイオンを含む清浄な空気を帽子２をかぶった人Ａの顔に直接当てるファン１４と、が設けられてなる。この携帯用イオン発生装置１は、その表面側が太陽電池パネル１２によって形成され、その裏面側がイオン生成部１１とファン１４とによって形成され、脱着部１３を介して表面側と裏面側が一体的に形成されてなる。【選択図】図１
2004089531.tif 000002
【特許請求の範囲】
【請求項１】
マイナスイオンとプラスイオンとを同時に発生させる携帯用イオン発生装置であって、
クラスターイオンを生成させるイオン生成部と、当該装置に電源を供給する電源供給部と、既製の帽子またはサンバイザーの鍔に脱着する脱着部と、が設けられ、
前記帽子またはサンバイザーをかぶった人の顔前方の空気中に浮遊する細菌や微細蛋白質粒子をクラスターイオンにより分解して細菌や微細蛋白質粒子を無害化し、清浄な空気を前記人の顔に直接当てることを特徴とする携帯用イオン発生装置。
【請求項２】
マイナスイオンとプラスイオンとを同時に発生させる携帯用イオン発生装置であって、
クラスターイオンを生成させるイオン生成部と、当該装置に電源を供給する電源供給部と、が設けられ、帽子またはサンバイザーの鍔に一体的に形成されてなり、
前記帽子またはサンバイザーをかぶった人の顔前方の空気中に浮遊する細菌や微細蛋白質粒子をクラスターイオンにより分解して細菌や微細蛋白質粒子を無害化し、清浄な空気を前記人の顔に直接当てることを特徴とする携帯用イオン発生装置。
【請求項３】
クラスターイオンを含む清浄な空気を前記人の顔に直接当てるファンが設けられたことを特徴とする請求項１または２に記載の携帯用イオン発生装置。
【請求項４】
前記電源供給部は、太陽電池パネルであることを特徴とする請求項１または２に記載の携帯用イオン発生装置
【請求項５】
前記電源供給部は、一次電池または充電可能な二次電池であることを特徴とする請求項１または２に記載の携帯用イオン発生装置。
【請求項６】
帽子またはサンバイザーには遮光用のフードが設けられ、このフードによって、クラスターイオンを含む空気が前記フードと前記人の顔との間に送風されることを特徴とする請求項１または２に記載の携帯用イオン発生装置。
【発明の詳細な説明】
【０００１】
【発明の属する技術分野】
本発明は、マイナスイオンとプラスイオンとを同時に発生させるイオン発生装置に関する。
【０００２】
【従来の技術】
近年、食生活の近代化や大気汚染物質の増加が原因と考えられるが、空気中に浮遊する細菌や杉花粉等の微細蛋白質粒子に対して過敏になり花粉症等のアレルギー症状を引き起こす人たちが多くなってきた。
【０００３】
そこで、これら空気中に浮遊する細菌や微細蛋白質粒子を効果的に分解し無害化するものとして、空気中の水分子をイオン化したクラスターイオンが有効に働くことが最近になって発見され、この原理を利用したイオン吸入器（例えば、特許文献１参照）や、空気清浄機（例えば、特許文献２参照）、やイオン発生装置（例えば、特許文献３参照）がある。
【０００４】
これら特許文献１乃至３に開示されたイオン吸入器や空気清浄機やイオン発生装置は、近年における住環境の高気密化に伴う室内等の居住空間に浮遊して溜まり易い人体に有害な汚染微粒子に対処して、健康で快適な生活をしたいという要望に応えるために開発されたものであり、比較的大型の装置になっている。
【０００５】
【特許文献１】
特開平１０−２４８９３２号公報
【特許文献２】
特開２００２−７８７８８号公報
【特許文献３】
特開２００２−８５５４４号公報
【０００６】
【発明が解決しようとする課題】
しかしながら、最近では、家屋室内よりむしろ屋外での大気汚染のひどい地域が多くなり、ディーゼル排ガスの浮遊カーボン粒子やＮＯＸ　粒子、特に、春先での杉花粉や檜花粉の大量の飛散現象が社会問題となってきた。
【０００７】
大型のイオン吸入器や空気清浄機やイオン発生装置は、設置して使用することを前提に設計されているため、屋外で大型のイオン吸入器や空気清浄機やイオン発生装置を使用することは困難である。
【０００８】
そこで、上記課題を解決するために本発明は、大気汚染や花粉症等によるアレルギー体質の人が外出したときであっても、空気中に浮遊する細菌や微細蛋白質粒子から人体を守る携帯用イオン発生装置を提供することを目的とする。
【０００９】
【課題を解決するための手段】
上記目的を達成するため本発明に係る携帯用イオン発生装置は、マイナスイオンとプラスイオンとを同時に発生させる携帯用イオン発生装置であって、クラスターイオンを生成させるイオン生成部と、当該装置に電源を供給する電源供給部と、既製の帽子またはサンバイザーの鍔に脱着する脱着部と、が設けられ、前記帽子またはサンバイザーをかぶった人の顔前方の空気中に浮遊する細菌や微細蛋白質粒子をクラスターイオンにより分解して細菌や微細蛋白質粒子を無害化し、清浄な空気を前記人の顔に直接当てることを特徴とする。
【００１０】
この発明によれば、イオン生成部と電源供給部と脱着部とが設けられているので、帽子やサンバイザーに容易に装着することが可能であり、屋外であっても、空気を吸引する顔前方の空気中に浮遊する細菌や微細蛋白質粒子を無害化することが可能となる。また、人の顔前方の空気中に浮遊する細菌や微細蛋白質粒子を無害化することに限定使用するものであるので、イオン生成部で生成するクラスターイオンの量を抑えることが可能となる。その結果、本発明にかかる携帯用イオン発生装置の各構成を駆動させるための電源供給部から供給する電力量を抑えることが可能となるとともに、各構成の大きさも抑えることが可能となり、本体の小型化を図ることが可能となる。
【００１１】
また、上記目的を達成するため本発明に係る携帯用イオン発生装置は、マイナスイオンとプラスイオンとを同時に発生させる携帯用イオン発生装置であって、クラスターイオンを生成させるイオン生成部と、当該装置に電源を供給する電源供給部と、が設けられ、帽子またはサンバイザーの鍔に一体的に形成されてなり、前記帽子またはサンバイザーをかぶった人の顔前方の空気中に浮遊する細菌や微細蛋白質粒子をクラスターイオンにより分解して細菌や微細蛋白質粒子を無害化し、清浄な空気を前記人の顔に直接当てることを特徴とする。
【００１２】
この発明によれば、イオン生成部と電源供給部とが設けられ、帽子やサンバイザーの鍔に一体的に形成されているので、屋外であっても、空気を吸引する顔前方の空気中に浮遊する細菌や微細蛋白質粒子を無害化することが可能となる。また、人の顔前方の空気中に浮遊する細菌や微細蛋白質粒子を無害化することに限定使用するものであるので、イオン生成部で生成するクラスターイオンの量を抑えることが可能となる。その結果、本発明にかかる携帯用イオン発生装置の各構成を駆動させるための電源供給部から供給する電力量を抑えることが可能となるとともに、各構成の大きさも抑えることが可能となり、本体の小型化を図ることが可能となる。
【００１３】
上記した構成において、クラスターイオンを含む清浄な空気を上記人の顔に直接当てるファンが設けられてもよい。
【００１４】
この場合、生成させたクラスタイオンを含む空気を効果的に人の顔に直接当てることが可能となる。
【００１５】
上記した構成において、上記電源供給部は、太陽電池パネルであってもよい。
【００１６】
この場合、外出中電気を蓄電することが可能となり、外出時の携帯用として用いるのに極めて都合が良い。
【００１７】
上記した構成において、上記電源供給部は、一次電池または充電可能な二次電池であってもよい。
【００１８】
この場合、外出時の電源供給を容易に行なうことが可能となり、外出時の携帯用として用いるのに極めて都合が良い。
【００１９】
上記した構成において、帽子またはサンバイザーには遮光用のフードが設けられ、このフードによって、クラスターイオンを含む空気が上記フードと上記人の顔との間に送風されてもよい。
【００２０】
この場合、生成させたクラスターイオンを含む空気を、フードと帽子またはサンバイザーをかぶった人の顔との間に送風するので、生成させたクラスタイオンを含む空気をより効果的に人の顔に直接当てることが可能となる。
【００２１】
【発明の実施の形態】
以下、本発明の実施の形態について図面を参照して説明する。
＜実施の形態１＞
本実施の形態１にかかる携帯用イオン発生装置１を、図１に示す。この図１は（ａ）、（ｂ）、（ｃ）および（ｄ）からなり、図１（ａ）は携帯用イオン発生装置１の概略斜視図であり、図１（ｂ）は携帯用イオン発生装置１を既製の帽子２の鍔２１に装着した時の平面図であり、図１（ｃ）は携帯用イオン発生装置１を鍔２１に装着した既製の帽子２を人Ａがかぶった状態の正面図であり、図１（ｄ）は携帯用イオン発生装置１を鍔２１に装着した既製の帽子２を人Ａがかぶった状態の側面図である。
【００２２】
携帯用イオン発生装置１は、マイナスイオンとプラスイオンとを同時に発生させるものであり、図１に示すように、クラスターイオンを生成させるイオン生成部１１と、本装置１に電源を供給する太陽電池パネル１２（本発明でいう電源供給部）と、既製の帽子２の鍔２１に脱着する脱着部１３と、クラスターイオンを含む清浄な空気を帽子２をかぶった人Ａの顔に直接当てるファン１４と、が設けられてなる。
【００２３】
この携帯用イオン発生装置１は、その表面側が太陽電池パネル１２によって形成され、その裏面側がイオン生成部１１とファン１４とによって形成され、脱着部１３を介して表面側と裏面側が一体的に形成されてなる。
【００２４】
次に、イオン生成部１１において生成するクラスターイオンについて詳説する。
【００２５】
大気圧下において約５ｅＶのエネルギーに制御された放電プラズマにより、大気中の水分子は解離・電離され、この水分子からプラスイオンとマイナスイオンとが分解生成される。生成されたプラスイオン（Ｈ＋　）とマイナスイオン（Ｏ２　−　）とがさらに水分子と結合されて、寿命が５秒程度の安定したクラスターイオンが生成される。
【００２６】
このクラスターイオンによる空気環境浄化技術は、大気圧プラズマ放電で人体に無害なプラスイオンとマイナスイオンと（以下、プラズマクラスターイオンという）を同時に空気中に放出し、汚染のひどい大気中に浮遊する細菌・ウイルス・杉花粉・臭い分子等の微粒子に絡みついて化学反応を起こし、化学反応により空気中の有害物質を分解・不活化して浄化して、健康で衛生的な空気環境を想像する技術である。
【００２７】
このプラズマクラスターイオンの効用を調べる実験を行なった。煙草の燃焼によって発生した一酸化窒素（ＮＯ）にプラズマクラスターイオンを作用させた場合、実験開始後約３分以内で一酸化窒素（ＮＯ）の残存率は２０％以下となり、７分経過すると略０％となった。次に、プラズマクラスターイオンを作用させない場合、実験開始後１０分以上幾ら待っても残存率が５０％以下には低下しなかった。
【００２８】
また、プラズマクラスターイオンを発生させる本実施の形態１にかかる携帯用イオン発生装置１から付随的に生じるオゾンの発生量は０．０１ｐｐｍ以下であり、家電製品安全基準値の０．０５ｐｐｍを大きく下回っており、身体に対する悪影響は全くない。
【００２９】
上記したように、この携帯用イオン発生装置１によれば、イオン生成部１１と太陽電池パネル１２と脱着部１３とが設けられているので、帽子２に容易に装着することができ、屋外であっても、空気を吸引する顔前方の空気中に浮遊する細菌や微細蛋白質粒子を無害化することができる。ここでいう空気中に浮遊する細菌や微細蛋白質粒子には、例えばディーゼル排ガスの浮遊カーボン粒子やＮＯｘ粒子、特に、春先での杉花粉や檜花粉の大量の飛散現象により汚染されている外気等がある。
【００３０】
また、人Ａの顔前方の空気中に浮遊する細菌や微細蛋白質粒子を無害化することに限定使用するものであるので、イオン生成部１１で生成するクラスターイオンの量を抑えることができる。その結果、この携帯用イオン発生装置１のイオン生成部１１およびファン１４を駆動させるための太陽電池パネル１２から供給する電力量を抑えることができるとともに、イオン生成部１１およびファン１４の大きさも抑えることができ、本体の小型化を図ることができる。
【００３１】
また、この携帯用イオン発生装置１にはファン１４が設けられているので、生成させたクラスタイオンを含む空気を効果的に人Ａの顔に直接当てることができる。
【００３２】
また、電源供給部に太陽電池パネル１２を用いているので、外出中電気を蓄電することができ、外出時の携帯用として用いるのに極めて都合が良い。また、例えば、春先の快晴時に大量に飛散してくる杉花粉や檜花粉の微粒子を効率よく浄化でき、花粉症等のアレルギー体質の人Ａの外出に大いに役立つ。
【００３３】
なお、本実施の形態１では、本発明でいう電源供給部に太陽電池パネル１２を用いているが、これに限定されるものではなく、例えば、一次電池または充電可能な二次電池を用いてもよい。この場合、外出時の電源供給を容易に行なうことができ、外出時の携帯用として用いるのに極めて都合が良い。
【００３４】
次に、本実施の形態１にかかる携帯用イオン発生装置１と同様の効果を有する携帯用イオン発生装置を実施の形態２乃至４に示す。
＜実施の形態２＞
この実施の形態２にかかる携帯用イオン発生装置は、上記実施の形態１にかかる携帯用イオン発生装置１と、帽子との脱着構成が異なるだけで他の構成は同一である。従って、ここでは実施の形態１にかかる携帯用イオン発生装置１と異なる構成についてのみ詳説し、同一の構成についての詳細な説明は省略する。
【００３５】
本実施の形態２にかかる携帯用イオン発生装置３を、図２に示す。この図２は（ａ）、（ｂ）および（ｃ）からなり、図２（ａ）は携帯用イオン発生装置３を鍔４１に一体的に形成した帽子４の平面図であり、図２（ｂ）は携帯用イオン発生装置３を鍔４１に一体的に形成した帽子４を人Ａがかぶった状態の正面図であり、図２（ｃ）は携帯用イオン発生装置３を鍔４１に一体的に形成した帽子４を人Ａがかぶった状態の側面図である。
【００３６】
携帯用イオン発生装置３は、図２に示すように、クラスターイオンを生成させるイオン生成部３１と、本装置３に電源を供給する太陽電池パネル３２（本発明でいう電源供給部）と、クラスターイオンを含む清浄な空気を帽子４をかぶった人Ａの顔に直接当てるファン３４と、が設けられ、帽子４の鍔４１に一体的に形成されてなる。
【００３７】
この携帯用イオン発生装置３は、その表面側が太陽電池パネル３２によって形成され、その裏面側がイオン生成部３１とファン３４とによって形成されてなる。
【００３８】
また、帽子４には、図２（ｃ）に示すように、その鍔４１から鍔４１の基部を軸にして下方に回動する遮光用のフード４２が設けられている。このフード４２によって、クラスターイオンを含む空気がフード４２と帽子４をかぶった人Ａの顔との間に送風される。
【００３９】
上記したように、この携帯用イオン発生装置３によれば、イオン生成部３１と太陽電池パネル３２とが設けられ、帽子４の鍔４１に一体的に形成されているので、屋外であっても、空気を吸引する顔前方の空気中に浮遊する細菌や微細蛋白質粒子を無害化することができる。
【００４０】
また、人Ａの顔前方の空気中に浮遊する細菌や微細蛋白質粒子を無害化することに限定使用するものであるので、イオン生成部３１で生成するクラスターイオンの量を抑えることができる。その結果、この携帯用イオン発生装置３のイオン生成部３１およびファン３４を駆動させるための太陽電池パネル３２から供給する電力量を抑えることができるとともに、イオン生成部３１およびファン３４の大きさも抑えることができ、本体の小型化を図ることができる。
【００４１】
また、帽子４に遮光用のフード４２が設けられているので、生成させたクラスターイオンを含む空気を、フード４２と帽子４をかぶった人Ａの顔との間に送風するので、生成させたクラスタイオンを含む空気をより効果的に人Ａの顔に直接当てることができる。
＜実施の形態３＞
この実施の形態３にかかる携帯用イオン発生装置は、上記実施の形態２にかかる携帯用イオン発生装置３と、当該携帯用イオン発生装置が一体的に形成される対象（実施の形態２でいう帽子４）が異なるだけで他の構成は同一である。従って、ここでは実施の形態２にかかる携帯用イオン発生装置３と異なる構成についてのみ詳説し、同一の構成についての詳細な説明は省略する。
【００４２】
本実施の形態３にかかる携帯用イオン発生装置５を、図３に示す。この図３は（ａ）、（ｂ）および（ｃ）からなり、図３（ａ）は携帯用イオン発生装置５を鍔６１に一体的に形成したサンバイザー６の平面図であり、図３（ｂ）は携帯用イオン発生装置５を鍔６１に一体的に形成したサンバイザー６を人Ａがかぶった状態の正面図であり、図３（ｃ）は、携帯用イオン発生装置５を鍔６１に一体的に形成したサンバイザー６を人Ａがかぶった状態の側面図である。
【００４３】
携帯用イオン発生装置５は、図３に示すように、クラスターイオンを生成させるイオン生成部５１と、本装置５に電源を供給する太陽電池パネル５２（本発明でいう電源供給部）と、クラスターイオンを含む清浄な空気をサンバイザー６をかぶった人Ａの顔に直接当てるファン５４と、が設けられ、サンバイザー６の鍔６１に一体的に形成されてなる。
【００４４】
この携帯用イオン発生装置５は、その表面側が太陽電池パネル５２によって形成され、その裏面側がイオン生成部５１とファン５４とによって形成されてなる。
【００４５】
また、サンバイザー６の鍔６１は、図３（ｃ）に示すように、その基部を軸にして下方に回動可能に設けられ、遮光用のフードとして用いられている。この鍔６１によって、クラスターイオンを含む空気が鍔６１とサンバイザー６をかぶった人Ａの顔との間に送風される。
【００４６】
上記したように、この携帯用イオン発生装置５によれば、イオン生成部５１と太陽電池パネル５２とが設けられ、サンバイザー６の鍔６１に一体的に形成されているので、屋外であっても、空気を吸引する顔前方の空気中に浮遊する細菌や微細蛋白質粒子を無害化することができる。
【００４７】
また、人Ａの顔前方の空気中に浮遊する細菌や微細蛋白質粒子を無害化することに限定使用するものであるので、イオン生成部５１で生成するクラスターイオンの量を抑えることができる。その結果、この携帯用イオン発生装置５のイオン生成部５１およびファン５４を駆動させるための太陽電池パネル５２から供給する電力量を抑えることができるとともに、イオン生成部５１およびファン５４の大きさも抑えることができ、本体の小型化を図ることができる。
【００４８】
また、この携帯用イオン発生装置５によれば、サンバイザー６の鍔６１に一体的に形成されているので、屋外であっても、空気を吸引する顔前方の空気中に浮遊する細菌や微細蛋白質粒子を無害化することができる。
【００４９】
また、サンバイザー６の鍔６１が、その基部を軸にして下方に回動可能に設けられ、生成させたクラスターイオンを含む空気を、鍔６１とサンバイザー６をかぶった人Ａの顔との間に送風するので、生成させたクラスタイオンを含む空気をより効果的に人Ａの顔に直接当てることができる。
＜実施の形態４＞
この実施の形態４にかかる携帯用イオン発生装置は、上記実施の形態３にかかる携帯用イオン発生装置５と、サンバイザーの鍔が異なるだけで他の構成は同一である。従って、ここでは実施の形態３にかかる携帯用イオン発生装置５と異なる構成についてのみ詳説し、同一の構成についての詳細な説明は省略する。
【００５０】
本実施の形態４にかかる携帯用イオン発生装置７を、図４に示す。この図４は（ａ）、（ｂ）および（ｃ）からなり、図４（ａ）は携帯用イオン発生装置７を鍔８１に一体的に形成したサンバイザー８の平面図であり、図４（ｂ）は携帯用イオン発生装置７を鍔８１に一体的に形成したサンバイザー８を人Ａがかぶった状態の正面図であり、図４（ｃ）は携帯用イオン発生装置７を鍔８１に一体的に形成したサンバイザー８を人Ａがかぶった状態の側面図である。
【００５１】
携帯用イオン発生装置７は、図４に示すように、クラスターイオンを生成させるイオン生成部７１と、本装置７に電源を供給する太陽電池パネル７２（本発明でいう電源供給部）と、クラスターイオンを含む清浄な空気をサンバイザー８をかぶった人Ａの顔に直接当てるファン７４と、が設けられ、サンバイザー８の鍔８１に一体的に形成されてなる。
【００５２】
この携帯用イオン発生装置７は、その表面側が太陽電池パネル７２によって形成され、その裏面側がイオン生成部７１とファン７４とによって形成されてなる。
【００５３】
また、サンバイザー８の鍔８１は、図４（ｃ）に示すように、人Ａがこのサンバイザー８をかぶった時に斜め下方向に突出するように設けられ、遮光用のフードとしても用いられている。この鍔８１によって、クラスターイオンを含む空気が鍔８１とサンバイザー８をかぶった人Ａの顔との間に送風される。
【００５４】
上記したように、この携帯用イオン発生装置７によれば、イオン生成部７１と太陽電池パネル７２とが設けられ、サンバイザー８の鍔８１に一体的に形成されているので、屋外であっても、空気を吸引する顔前方の空気中に浮遊する細菌や微細蛋白質粒子を無害化することができる。
【００５５】
また、人Ａの顔前方の空気中に浮遊する細菌や微細蛋白質粒子を無害化することに限定使用するものであるので、イオン生成部７１で生成するクラスターイオンの量を抑えることができる。その結果、この携帯用イオン発生装置７のイオン生成部７１およびファン７４を駆動させるための太陽電池パネル７２から供給する電力量を抑えることができるとともに、イオン生成部７１およびファン７４の大きさも抑えることができ、本体の小型化を図ることができる。
【００５６】
また、この携帯用イオン発生装置７によれば、サンバイザー８の鍔８１に一体的に形成されているので、屋外であっても、空気を吸引する顔前方の空気中に浮遊する細菌や微細蛋白質粒子を無害化することができる。
【００５７】
また、サンバイザー８の鍔８１が、人Ａがこのサンバイザー８をかぶった時に斜め下方向に突出するように設けられ、生成させたクラスターイオンを含む空気を、鍔８１とサンバイザー８をかぶった人Ａの顔との間に送風するので、生成させたクラスタイオンを含む空気をより効果的に人Ａの顔に直接当てることができる。
＜実施例＞
図１に示す実施の形態１にかかる携帯用イオン発生装置１を設計した。
【００５８】
まず、イオン生成部１１とファン１４としては、その大きさが合わせて約５７ｍｍ×３１ｍｍ×２１ｍｍの直方体形状に設計したものを用いた。これらイオン生成部１１とファン１４との消費電力は、夫々約０．５Ｗ　と約０．３Ｗとであり、合計で約０．８Ｗである。そして、これらイオン生成部１１とファン１４とを駆動させるためには少なくとも１２Ｖの電圧が必要であり、これらイオン生成部１１とファン１４とを少なくとも１２Ｖの電圧で駆動するためには約０．０６７Ａ以上の電流を発生できる太陽電池パネル１２を用いる必要がある。本実施例では、余裕を持って、太陽電池パネル１２に、１５Ｖの電圧で最大０．０８Ａの電流を供給できる出力１．２Ｗの３０分割形の太陽電池セルを用いた。この太陽電池パネル１２として、そのサイズを１４０ｍｍ×７６ｍｍに設計したものを用いた。
【００５９】
このように、この携帯用イオン発生装置１では、イオン生成部１１とファン１４とを駆動させるための太陽電池パネル１２から供給する電力量を抑えるとともに、イオン生成部１１とファン１４と太陽電池パネル１２と大きさを抑えることができた。
【００６０】
また、本実施例では、実施の形態１にかかる携帯用イオン発生装置１を用いて実験を行なったが、図２乃至図４に示す各実施の形態にかかる携帯用イオン発生装置３、５、７で実験を行なっても同様の結果が得られた。
【００６１】
【発明の効果】
以上、説明したように、本発明にかかる携帯用イオン発生装置によれば、大気汚染や花粉症等によるアレルギー体質の人が外出したときであっても、空気中に浮遊する細菌や微細蛋白質粒子から人体を守ることができる。
【００６２】
すなわち、本発明にかかる携帯用イオン発生装置には、イオン生成部と電源供給部と脱着部とが設けられているので、帽子やサンバイザーに容易に装着することができ、屋外であっても、空気を吸引する顔前方の空気中に浮遊する細菌や微細蛋白質粒子を無害化することができる。また、人の顔前方の空気中に浮遊する細菌や微細蛋白質粒子を無害化することに限定使用するものであるので、イオン生成部で生成するクラスターイオンの量を抑えることができる。その結果、本発明にかかる携帯用イオン発生装置の各構成を駆動させるための電源供給部から供給する電力量を抑えることができるとともに、各構成の大きさも抑えることができ、本体の小型化を図ることができる。
【００６３】
また、本発明にかかる携帯用イオン発生装置は、イオン生成部と電源供給部とが設けられ、帽子またはサンバイザーの鍔に一体的に形成されてなるので、屋外であっても、空気を吸引する顔前方の空気中に浮遊する細菌や微細蛋白質粒子を無害化することができる。また、人の顔前方の空気中に浮遊する細菌や微細蛋白質粒子を無害化することに限定使用するものであるので、イオン生成部で生成するクラスターイオンの量を抑えることができる。その結果、本発明にかかる携帯用イオン発生装置の各構成を駆動させるための電源供給部から供給する電力量を抑えることができるとともに、各構成の大きさも抑えることができ、本体の小型化を図ることができる。
【図面の簡単な説明】
【図１】（ａ）は、本実施の形態１にかかる携帯用イオン発生装置の概略斜視図であり、（ｂ）は、本実施の形態１にかかる携帯用イオン発生装置を既製の帽子の鍔に装着した時の平面図であり、（ｃ）は、本実施の形態１にかかる携帯用イオン発生装置を鍔に装着した既製の帽子を人がかぶった状態の正面図であり、（ｄ）は、本実施の形態１にかかる携帯用イオン発生装置を鍔に装着した既製の帽子を人がかぶった状態の側面図である。
【図２】（ａ）は、本実施の形態２にかかる携帯用イオン発生装置を鍔に一体的に形成した帽子の平面図であり、（ｂ）は、本実施の形態２にかかる携帯用イオン発生装置を鍔に一体的に形成した帽子を人がかぶった状態の正面図であり、（ｃ）は、本実施の形態２にかかる携帯用イオン発生装置を鍔に一体的に形成した帽子を人がかぶった状態の側面図である。
【図３】（ａ）は、本実施の形態３にかかる携帯用イオン発生装置を鍔に一体的に形成したサンバイザーの平面図であり、（ｂ）は、本実施の形態３にかかる携帯用イオン発生装置を鍔に一体的に形成したサンバイザーを人がかぶった状態の正面図であり、（ｃ）は、本実施の形態３にかかる携帯用イオン発生装置を鍔に一体的に形成したサンバイザーを人がかぶった状態の側面図である。
【図４】（ａ）は、本実施の形態４にかかる携帯用イオン発生装置を鍔に一体的に形成したサンバイザーの平面図であり、（ｂ）は、本実施の形態４にかかる携帯用イオン発生装置を鍔に一体的に形成したサンバイザーを人がかぶった状態の正面図であり、（ｃ）は、本実施の形態４にかかる携帯用イオン発生装置を鍔に一体的に形成したサンバイザーを人がかぶった状態の側面図である。
【符号の説明】
１、３、５、７　携帯用イオン発生装置
１１、３１、５１、７１　イオン生成部
１２、３２、５２、７２　電源供給部（太陽電池パネル）
１３　脱着部
１４、３４、５４、７４　ファン
２、４　帽子
２１、４１、６１、８１　鍔
２２　フード
６、８　サンバイザー
Ａ　人
【図１】
2004089531.tif 000003
【図２】
2004089531.tif 000004
【図３】
2004089531.tif 000005
【図４】
2004089531.tif 000006